(57)【要約】      （修正有）【課題】簡単な構成によってひねりやツイストなどを通じてさらなる脚や腰などの健康増進を図る回転健康器具を提供する。【解決手段】対の器具本体Ｈ１，Ｈ２からなり、各器具本体Ｈ１，Ｈ２は台板１と、台板上方に回転可能に配置してある回転載置板２と、この回転載置板を台板上方で回転させる回転軸受３とそれぞれ備え、台板に傾斜用の脚部を設けることによって各器具本体における回転載置板２が正面側に向けて次第に高くなるように傾斜状態に設定され、かつ使用者のそれぞれの足を乗せることができると共に、互いに独立して回転可能であり、回転軸受３が台板１の上面に固定してある下受けフレームと、回転載置板２の下面に固定してある上受けフレームと、上下の受けフレーム間に形成している収納溝３ｂ１内に収納してあるボール３ｃとからなるである。【選択図】図１
0003152921.tif 000002
【実用新案登録請求の範囲】
【請求項１】
対の器具本体からなり、
上記各器具本体は、台板と、この台板上方に回転可能に配置してある回転載置板と、この回転載置板を台板上方で回転させる回転機構とそれぞれ備えており、
上記各器具本体における回転載置板は正面側に向けて次第に高くなるように傾斜状態にあって、使用者のそれぞれの足を載せることができると共に、互いに独立して回転可能である
ことを特徴とする回転健康器具。
【請求項２】
台板には傾斜用の脚部を設けてあることを特徴とする請求項１記載の回転健康器具。
【請求項３】
台板は、傾斜しているベースに設置されていることを特徴とする請求項１記載の回転健康器具。
【請求項４】
回転機構は、台板の上面に固定してある下受けフレームと、回転載置板の下面に固定してある上受けフレームと、上下の受けフレーム間に形成してあって、上記回転載置板の回転方向に沿って設けてある収納溝内に収納してあるボールとからなる回転軸受であることを特徴とする請求項１乃至請求項３のいずれかに記載の回転健康器具。
【考案の詳細な説明】
【技術分野】
【０００１】  この考案は、脚や腰などの健康増進のための回転健康器具に関する。
【背景技術】
【０００２】  脚や腰の健康増進を図るための回転健康器具として、例えば特開平８−２８０８４２号公報に記載の「足首の回転運動具」及び特開２００４−１３６０６０号公報に記載の「回転型ストレッチングボード」が提案されている。
前者の「足首の回転運動具」は、上下対面する円板の中央に、ホールキャスターとネジ式足を付け、これを一体とし、円板上に足首をやや開いた状態で乗り、体重をどちらかの方向に移動させることにより、円板は傾斜となり、ボールキャスターによる支点を中心とした傾斜面の円運動を通じて、足首の鍛錬強化や、足腰の筋力強化を図るものである。
後者の「回転型ストレッチングボード」は、両足を乗せて人体を支えるに足る踏み台部と、これを支える台座部とからなり、上記踏み台部は上面の中心部を回転軸とする回転可能状に上記台座部に設置され、かつ踏み台部の上面は台座部の下面に対して昇り坂状に形成されているものである。
足を乗せた踏み台部を左右交互に回すツイスト運動を通じて腰痛や肩こりの改善を効果的なものにする。
【先行技術文献】
【特許文献】
【０００３】
【特許文献１】  特開平８−２８０８４２号公報
【特許文献２】  特開２００４−１３６０６０号公報
【考案の概要】
【考案が解決しようとする課題】
【０００４】  上述した「足首の回転運動具」及び「回転型ストレッチングボード」は、いずれも健康増進に寄与するものの、両足の回転方向が常に同じであるために、ひねりやツイストなどを通じて脚や腰などの健康増進には更なる改善の必要があった。
この考案の目的は、簡単な構成によってひねりやツイストなどを通じてさらなる脚や腰などの健康増進を図ることにある。
【課題を解決するための手段】
【０００５】  この考案の回転健康器具は対の器具本体からなるものである。上記各器具本体は、台板と、この台板上方に回転可能に配置してある回転載置板と、この回転載置板を台板上方で回転させる回転機構とをそれぞれ備えている。上記各器具本体における回転載置板は正面側に向けて次第に高くなるように傾斜状態にあって、使用者のそれぞれの足を載せることができると共に、互いに独立して回転可能である。
上記回転載置板を傾斜させる手段としては、台板に設ける傾斜用の脚部、台板を設置するベースそのものを傾斜させる構成とする。
上記回転機構は、台板の上面に固定してある下受けフレームと、回転載置板の下面に固定してある上受けフレームと、上下の受けフレーム間に形成してあって、上記回転載置板の回転方向に沿って設けてある収納溝内に収納してあるボールとからなる回転軸受を用いれば、回転載置板の位置の安定が図られ、構成を簡単にすることができる。
【考案の効果】
【０００６】  この考案によれば、回転載置板が使用者の左右の脚をそれぞれ別々に載せた状態で、互いに独立して回転させることができ、かつ同一方向に又は対向方向に回転させることができるので、簡単な構成によって回転運動に伴う良い影響が脚や腰など効果的に及ぶことによる使用者の健康増進に有効である。
【図面の簡単な説明】
【０００７】
【図１】  この考案に係る回転健康器具の使用状態を示す一部断面平面図である。
【図２】  図１のＩＩ−ＩＩ線断面図である。
【図３】  この考案に係る回転健康器具における一方の器具本体を示す平面図である。
【図４】  この考案に係る回転健康器具における一方の器具本体を示す正面図である。
【図５】  この考案に係る回転健康器具における一方の器具本体を分解した状態を示す一部切欠正面図である。
【図６】  この考案に係る回転健康器具における一方の器具本体の台板を示す平面図である。
【図７】  この考案に係る回転健康器具における一方の器具本体の回転軸受を示す一部切欠平面図である。
【図８】  図７のＶＩＩＩ−ＶＩＩＩ線拡大断面図である。
【図９】  この考案に係る回転健康器具における器具本体の他の例の使用状態を示す正面図である。
【考案を実施するための形態】
【０００８】  この考案に係る回転健康器具を図１〜図８を参照して説明する。
図１及び図２に示すように、回転健康器具Ｈは、対の器具本体Ｈ１からなり、ベースＢ上に置かれている。図１〜図５において、各器具本体Ｈ１，Ｈ２は、台板１と、台板１上方に回転可能に配置してある回転載置板２と、回転載置板２をそれぞれ回転させる回転機構を構成している回転軸受３とを備えている。
以下、一方の器具本体Ｈ１の具体的構成について詳細に説明する。
なお、他方の器具本体Ｈ２の各構成は、一方の器具本体Ｈ１のそれと同一であるので、詳細な説明を省略する。
【０００９】  図３〜図５に示す器具本体Ｈ１における台板１は、平面四角形状に形成されており、上面に不織布などからなる四角形の敷板１ａを貼り付けてある（図６参照）。敷板１ａの四隅には、後述するねじ４を通すための孔１ａ１を開けてある。台板１の正面側端部（図３及び図４の右側端部）の裏面には、板幅方向に端部の縁に沿って傾斜用の脚部１ｂを取り付けてある。台板１の使用時において、台板の上面が脚部１ｂによって正面側に向けて次第に高くなる傾斜面を形成している（図２参照）。
【００１０】  図３〜図５に示す回転載置板２は、台板１の上方にこの台板と平行に配置されている。回転載置板２は本体が肉厚の円板からなり、上面に人の片足が載っても耐久性を維持できるに十分な材質からなる。また、回転載置板２は、上下の両面に全面を覆う不織布などからなる四角形の敷板２ａ，２ｂを貼り付けてある。回転載置板２の上側の敷板２ｂの上面には全面を覆うプラスチック製の弾性板２ｃを貼り付けてある。さらに、弾性板２ｃの上面には全面を覆う不織布などからなる化粧用被覆板２ｄを貼り付けてある。
また、回転載置板２は上面中央部に四角形の取付け孔２ｅ（図３及び図５）を設けてある。取付け孔２ｅ内には足裏押圧部６を着脱可能に嵌め込んである。足裏押圧部６は、四角形の支持板６ａと、ほぼ半球体状の押圧体６ｂとからなる。支持板６ａは取付け孔２ｅ内に嵌め込まれた状態では、その上面が化粧用被覆板２ｄの上面と同一面を形成している。押圧体６ｂは内部を中空とし、表面を繊維で覆っており、図３及び図５の例では、弾性変形可能である硬質プラスチックからなる。押圧体６ｂの外面を被覆する繊維として、羊毛、化学繊維、又はこれらの混紡などの繊維からなるフェルトで構成されている。
【００１１】  回転軸受３は、図４及び図５に示すように、台板１の上面に着脱可能に設けてある下受けフレーム３ａと、回転載置板２の下面に着脱可能に設けてある上受けフレーム３ｂと、上下の受けフレーム間に収納してあるボール３ｃとからなる。
図４、図５、図７及び図８において、下受けフレーム３ａと上受けフレーム３ｂとはいずれも平面四角形に形成され、所定間隔を互いに回転可能に係合され内部に円形状の穴３ｄ（図７）が開けられている板体からなる。下受けフレーム３ａ及び上受けフレーム３ｂには、穴３ｄに沿って全周に亘ってそれぞれ下側及び上側に凸状の収納溝３ａ１，３ｂ１を対向的に設けてある。対向する収納溝３ａ１，３ｂ１内には、ボール３ｃを穴３ｄの円周方向に移動可能に収納してある。下受けフレーム３ａと上受けフレーム３ｂとは、図８に示すように穴３ｄ側の端部側が互いに回転可能かつ離脱不能に係合されている。
回転軸受３は、ボール３ｃの存在によって、例えば図７に示すように下受けフレーム３ａを固定しておき、上受けフレーム３ｂを水平方向に押圧すると、上受けフレームが鎖線に示すように押圧方向（時計方向又は反時計方向）に水平回転する。
また、下受けフレーム３ａ及び上受けフレーム３ｂのそれぞれの四隅には、ねじ４，５（図５）を通すための孔３ａ２，３ｂ２を開けてある。孔３ａ２，３ｂ２は、図７に示すように互いに位置をずらして設けられている。下受けフレーム３ａは、孔３ａ２を利用するねじ４を図５下向けにねじ込むによって台板１上に固定されている。上受けフレーム３ｂは、孔３ｂ２を利用するねじ５を図５上向けにねじ込むによって一方の回転載置板２の下面に固定されている。
このため、回転載置板２を押圧すると、上受けフレームが回転軸受３を中心として図７に示す鎖線に示すように押圧方向に水平回転するために、回転載置板が水平回転することになる。
【００１２】  次に、回転健康器具Ｈの使用方法を説明する。
予め、図１及び図２に示すように回転健康器具Ｈをセットするための載置台Ａを用意しておく。
載置台Ａは、基板７と、この基板の四隅に起立してある支柱８と、正面側と背面側に配置されている支柱間に渡してある握り棒９とを備えている。図１の上下で対向位置関係にある握り棒９の互いの距離及びそれぞれの床板７からの高さは、平均的な身体的特徴を備えた使用者が基板上に立った場合、腕をほぼ水平に伸ばして両手でそれぞれの握り棒を把持できる程度に設計されている。
まず、図１に示すように、対の器具本体Ｈ１，Ｈ２を基板７上に載せて、所定位置に配置する。配置時には、各台板１の脚部１ｂのある側の端部を正面側（図１右側）に向けると共に、使用者の身長などを考慮して、台板１を互いに平行にかつ間隔を開ける。この時、各回転載置板２は、図２に示すように台板１が脚部１ｂによって右肩上がりに傾斜されているため、基板７上に右肩上がりの傾斜状態にある。
ついで、使用者は正面（図１右側）を前にして、片足を一方の器具本体Ｈ１の回転載置板２上に、また他方の片足を他方の器具本体Ｈ２の回転載置板上に載せ起立する。片足を回転載置板２上に載せる際、足裏の土踏まずを足裏押圧部６の押圧体６ｂに載せる。
その後、双方の回転載置板２上に載っている使用者は脚をハの字形に開いた状態となるから、腕を伸ばして両手でそれぞれの握り棒９を把持する。そしてそれぞれの足を同一方向に又は互いに対向方向にひねると、ひねった方向に各回転載置板２は所定角度回転し、この動作を繰り返すことによって、足首、脚の筋肉が鍛錬され、腰の回転運動が行われ、使用者の健康増進が図られる。また、同時に、足裏押圧部６の押圧体６ｂは、使用者の土踏まずを押圧するから、つぼ（足心）を刺激することになり、このつぼの刺激を通じて、例えば腰痛の軽減や脚の筋肉の疲労回復の効用が得られ、使用者の健康増進が図られる。
双方の回転載置板２は正面側に向けて次第に高くなるように傾斜されているので、使用者の足は回転載置板の傾斜方向と同じ方向に傾斜されるので、回転運動時には脚の背部の筋力が強化されると共に、脚や腰についても傾斜に伴う好影響が及ぶことになる。
また、他の使用方法として、双方の回転載置板２は互いに独立して回転可能であるから、使用者の健康状態に応じて、例えば左側の脚と右側の脚とのそれぞれの回転数を異にすることもできる。
【００１３】  図１及び図２に示す回転健康器具Ｈの器具本体Ｈ１，Ｈ２においては、回転載置板２を傾斜させる手段として、ベースとなる基板７を水平にして、この基板上に置く台板１に傾斜用の脚部１ｂを設けているが、傾斜させる手段は図示の例に限定されない。
図９に示す器具本体Ｈ１Ａの例では脚部１ｂを設けていない。器具本体Ｈ１Ａを置くベースとなる床板１０を傾斜させている。
器具本体Ｈ１Ａの構成は、回転健康器具Ｈの器具本体Ｈ１のような脚部１ｂを設けていない点を除いて器具本体Ｈ１と同一であるので、構成部分を示す符号に関しては器具本体Ｈ１に用いた符号をそのまま使用して対応関係を明確にしている。
器具本体Ｈ１Ａの使用の際には、この器具本体を傾斜している床板１０に置くので、使用中に不用意に後方に移動しないように床板にストッパ１０ａを設けている。
回転機構は図示する回転軸受３に限定されないが、この回転軸受を用いることによって回転載置板２の位置が安定し、安定的な回転が可能となり、このために使用時に使用者が落ち着いて回転運動をすることができる。
【符号の説明】
【００１４】  Ａ                      載置台
Ｂ                      ベース
Ｈ                      回転健康器具
Ｈ１，Ｈ１Ａ，Ｈ２      器具本体
１                      台板
１ｂ                    脚部
２                      回転載置板
３                      回転軸受（回転機構）
３ａ                    下受けフレーム
３ａ１                  収納溝
３ｂ                    上受けフレーム
３ｂ１                  収納溝
３ｃ                    ボール
７                      基板（ベース）
１０                    床板（ベース）
【図１】
0003152921.tif 000003
【図２】
0003152921.tif 000004
【図３】
0003152921.tif 000005
【図４】
0003152921.tif 000006
【図５】
0003152921.tif 000007
【図６】
0003152921.tif 000008
【図７】
0003152921.tif 000009
【図８】
0003152921.tif 000010
【図９】
0003152921.tif 000011